(57)【要約】【課題】装着時の誤操作を確実に防止して容易に所定の装着および取り外しを行い得るスイッチ手段の誤操作防止カバーを提供する。【解決手段】操作レバー３Ａの先端部を直線的に一方向または反対方向に移動させることで操作レバー３Ａが支点を回動中心として一方向または反対方向に回動されてＯＮ状態またはＯＦＦ状態の何れかの状態となる配線用遮断器３に装着されるスイッチ手段の誤操作防止カバーＢであって、前記一方向または反対方向に沿って本体１１から先端側に突出され、前記一方向または反対方向への直線移動により先端の開口部１４を介して操作レバー３Ａを挿入させることにより、前記直線移動の方向に直交する直交方向の両側から操作レバー３Ａを挟持する挟持部１２を有する。【選択図】  図２
2013025867.tif 000002
【特許請求の範囲】
【請求項１】
操作レバーの先端部を直線的に一方向または反対方向に移動させることで前記操作レバーが支点を回動中心として一方向または反対方向に回動されてＯＮ状態またはＯＦＦ状態の何れかの状態となるスイッチ手段に装着されるスイッチ手段の誤操作防止カバーであって、
前記一方向または反対方向に沿って本体から先端側に突出され、前記一方向または反対方向への直線移動により先端の開口部を介して前記操作レバーを挿入させることにより、前記直線移動の方向に直交する直交方向の両側から前記操作レバーを挟持する挟持部を有することを特徴とするスイッチ手段の誤操作防止カバー。
【請求項２】
請求項１に記載するスイッチ手段の誤操作防止カバーにおいて、
前記挟持部の先端部には、前記操作レバーに係止される突起部を前記直交方向で相対向させて形成したことを特徴とするスイッチ手段の誤操作防止カバー。
【請求項３】
請求項２に記載するスイッチ手段の誤操作防止カバーにおいて、
前記突起部は、前記直線移動の方向に沿って先端部に向かう前記挟持部の複数箇所に形成したことを特徴とするスイッチ手段の誤操作防止カバー。
【請求項４】
請求項３に記載するスイッチ手段の誤操作防止カバーにおいて、
前記突起部は前記挟持部の先端側の箇所ほど、突出量を大きくしたことを特徴とするスイッチ手段の誤操作防止カバー。
【請求項５】
請求項１〜請求項４の何れか一つに記載するスイッチ手段の誤操作防止カバーにおいて、
前記スイッチ手段は配線用遮断器であることを特徴とするスイッチ手段の誤操作防止カバー。
【発明の詳細な説明】
【技術分野】
【０００１】
本発明はスイッチ手段の誤操作防止カバーに関し、特に配線用遮断器（ＭＣＣＢ）の操作レバーの操作ロックに適用して有用なものである。
【背景技術】
【０００２】
汎用的な分電盤には配線用遮断器（ＭＣＣＢ）が使用されており、その操作レバーの誤操作防止のための対策として誤操作防止カバーを取り付けている。従来技術に係るこの種の誤操作防止カバーは、配線用遮断器の操作レバーを固定し、人為的な操作を確実に阻止する目的で作製されているが、操作レバーを強固に保持しようとして操作レバーに密接させた形状にしてあるため、電気回路が入り状態の配線用遮断器に誤操作防止カバーを取り付ける際は操作ハンドルに切操作向きの力が加わり、不用意に電気回路が遮断される事故が発生することがある。
【０００３】
また、誤操作防止カバーを取り外す際には、誤操作防止カバーが操作レバーに強固に固着されていることに起因して、取り外しの際の操作に力が入りすぎ、操作レバーに切操作向きの力が加わり同様の事故が発生することもある。
【０００４】
図５は従来技術に係る誤操作防止カバーの一例を示す図で、（ａ）は側面図、（ｂ）は平面図、（ｃ）は正面図である。これらの図に示すように、誤操作防止カバーＡは、本体１と本体１に一体的に連続して形成されている先端部２とを有している。先端部２には、配線用遮断器(図５には図示せず)の操作レバー（図５には図示せず）を貫通させる貫通孔２Ａが形成されている。
【０００５】
図６は図５に示す誤操作防止カバーを配線用遮断器に装着した状態を示す図で、（ａ）は側面図、（ｂ）は平面図、（ｃ）は正面図、（ｄ）は装着時の態様で示す側面図である。これらの図に示すように、誤操作防止カバーＡはその貫通孔２Ａを介して配線用遮断器３の操作レバー３Ａを貫通させることにより貫通孔２Ａで操作レバー３Ａの周囲を囲んだ状態で操作レバー３Ａに密着させて配線用遮断器３に装着される。このように誤操作防止カバーＡが密着装着されることにより、操作レバー３Ａを図６（ａ）中の右方向に直線移動させて配線用遮断器３を遮断状態とする操作が阻止される。
【０００６】
ここで、配線用遮断器３は、操作レバー３Ａの先端部を直線的に一方向または反対方向に移動させることで操作レバー３Ａが支点（図示せず）を回動中心として一方向または反対方向に回動されてＯＮ状態またはＯＦＦ状態の何れかの状態となる。
【０００７】
したがって、上述の如く誤操作防止カバーＡを装着することで操作レバー３Ａを図６（ａ）中の時計方向に回動させてＯＦＦ状態とする操作が阻害される。すなわち、このときのＯＦＦ状態とする操作である誤操作が防止される。
【０００８】
なお、ＯＦＦ状態をロックしたい場合には、図６（ａ）の反対側（右側）に倒れてＯＦＦ状態となっている操作レバー３Ａに貫通孔２Ａを介して同様に誤操作防止カバーＡを装着すれば良い。
【０００９】
ところで、上述の如き従来技術に係る誤操作防止カバーＡにおいては、当該誤操作防止カバーＡの装着に際し、図６（ｄ）に示すように、誤操作防止カバーＡを配線用遮断器３の上方から斜め下方に向かう力Ｉによりその操作レバー３Ａを貫通孔２Ａに挿入しているので、操作レバー３Ａには同図中に示す右向きの力IIが作用する。この結果、力IIが操作力となり比較的簡単に操作レバー３Ａが図中の時計方向に回動する場合がある。すなわち、誤操作防止カバーＡで操作レバー３Ａの操作をロックする前に誤操作が発生するという問題を有している。
【００１０】
かかる問題を解決する従来技術として、例えば特許文献１に示す遮断器のハンドルロック装置が提案されている。当該ハンドルロック装置は、誤操作の心配なく確実に所定のロックを行うことができるが、操作ロックの対象となる遮断器側の操作レバーにロックカバーの突起部を差し込む凹部が必要となる。このため、遮断機本体を取替えるか、または操作レバーに凹部を形成する等の加工が必要になる。
【００１１】
また、ロックカバーを必要とするユーザーは人為的な操作を阻止することができれば良いので、遮断機の入切状態と操作防止がなされている状態が判別できれば、必ずしも操作ハンドルを強固に保持する必要はない。
【先行技術文献】
【特許文献】
【００１２】
【特許文献１】実開平０５−１１２６９号公報
【発明の概要】
【発明が解決しようとする課題】
【００１３】
本発明は、上記従来技術に鑑み、装着時の誤操作を確実に防止して容易に所定の装着および取り外しを行い得るスイッチ手段の誤操作防止カバーを提供することを目的とする。
【課題を解決するための手段】
【００１４】
本発明の第１の態様は、
操作レバーの先端部を直線的に一方向または反対方向に移動させることで前記操作レバーが支点を回動中心として一方向または反対方向に回動されてＯＮ状態またはＯＦＦ状態の何れかの状態となるスイッチ手段に装着されるスイッチ手段の誤操作防止カバーであって、
前記一方向または反対方向に沿って本体から先端側に突出され、前記一方向または反対方向への直線移動により先端の開口部を介して前記操作レバーを挿入させることにより、前記直線移動の方向に直交する直交方向の両側から前記操作レバーを挟持する挟持部を有することを特徴とするスイッチ手段の誤操作防止カバーにある。
【００１５】
本態様によれば、操作レバーが倒れて維持している状態をロックする際には、操作レバーの操作時の直線移動方向に沿って、操作レバーが倒れている側と反対側から誤操作防止カバーを直線移動させ、その先端側の挟持部で操作レバーを挟持することによりスイッチ手段に装着することができる。このため、かかる装着操作において、操作レバーに作用する力は、操作レバーの状態を維持する（ＯＮ状態においてはＯＮ状態を維持する）ための方向となる結果、装着時に誤って操作レバーを操作する可能性を可及的に低減することができる。また、挟持部に操作レバーを両側から挟持させるだけで所定の装着作業を行うことができるので、この作業を容易に行うことができる。
【００１６】
本発明の第２の態様は、
第１の態様に記載するスイッチ手段の誤操作防止カバーにおいて、
前記挟持部の先端部には、前記操作レバーに係止される突起部を前記直交方向で相対向させて形成したことを特徴とするスイッチ手段の誤操作防止カバーにある。
【００１７】
本態様によれば、突起部を操作レバーの前面の両端部に係止させることができるので、誤操作防止カバーを操作レバーにより確実に装着することができる。
【００１８】
本発明の第３の態様は、
第２の態様に記載するスイッチ手段の誤操作防止カバーにおいて、
前記突起部は、前記直線移動の方向に沿って先端部に向かう前記挟持部の複数箇所に形成したことを特徴とするスイッチ手段の誤操作防止カバーにある。
【００１９】
本態様によれば、操作レバーの太さが異なる複数種類のスイッチ手段に共通に適用することができる。
【００２０】
本発明の第４の態様は、
第３の態様に記載するスイッチ手段の誤操作防止カバーにおいて、
前記突起部は前記挟持部の先端側の箇所ほど、突出量を大きくしたことを特徴とするスイッチ手段の誤操作防止カバーにある。
【００２１】
本態様によれば、先端部ほど相対向する突起部の先端間の間隔が小さくなるので、先端部と反対側の突起部に邪魔されることなく、より確実に操作レバーとの間の安定的な係止状態を確保することができる。
【００２２】
本発明の第５の態様は、
第１〜第４の態様の何れか一つに記載するスイッチ手段の誤操作防止カバーにおいて、
前記スイッチ手段は配線用遮断器であることを特徴とするスイッチ手段の誤操作防止カバーにある。
【００２３】
本態様によれば、操作レバーに作用する小さな操作力でＯＦＦ状態となるように構成されている配線用遮断器（ＭＣＣＢ）に適用しているので、誤操作防止の効果をより顕著に発揮させることができる。
【発明の効果】
【００２４】
本発明によれば、従来の一般的な誤操作防止カバーが操作レバーの周囲を囲んで密着させる構造であったのに対し、その一面を除去して、代わりに挟持部により操作レバーを操作方向に直交する方向における両側から挟持する構造とし、さらに従来の誤操作防止カバーが操作レバーの軸方向に差し込む装着方法を採っていたためスイッチ手段の操作レバーを反転させる方向に力がかかり誤操作の原因となっていた点に鑑み、反転させる方向には力がかからない構造としたので、装着時の誤操作を確実に防止して良好な装着作業の作業性を確保することができる。誤操作防止カバーの本来的な機能を良好に発揮させることができる。
【図面の簡単な説明】
【００２５】
【図１】本発明の第１の実施の形態に係る誤操作防止カバーを示す図で、（ａ）は側面図、（ｂ）は平面図、（ｃ）は正面図である。
【図２】図１に示す誤操作防止カバーを配線用遮断器に装着した状態を示す図で、（ａ）は側面図、（ｂ）は平面図、（ｃ）は正面図である。
【図３】本発明の第２の実施の形態に係る誤操作防止カバーを示す図で、（ａ）は側面図、（ｂ）は平面図、（ｃ）は正面図である。
【図４】図３に示す誤操作防止カバーを配線用遮断器に装着した状態を示す図で、（ａ）は側面図、（ｂ）は平面図、（ｃ）は正面図、（ｄ）は装着時の態様で示す側面図である。
【図５】従来技術に係る誤操作防止カバーの一例を示す図で、（ａ）は側面図、（ｂ）は平面図、（ｃ）は正面図である。
【図６】図５に示す誤操作防止カバーを配線用遮断器に装着した状態を示す図で、（ａ）は側面図、（ｂ）は平面図、（ｃ）は正面図、（ｄ）は装着時の態様で示す側面図である。
【発明を実施するための形態】
【００２６】
以下、本発明の実施の形態を図面に基づき詳細に説明する。
【００２７】
＜第１の実施の形態＞
図１は本発明の第１の実施の形態に係る誤操作防止カバーを示す図で、（ａ）は側面図、（ｂ）は平面図、（ｃ）は正面図である。これらの図に示すように、本形態に係る誤操作防止カバーＢは、配線用遮断器３（図６参照；以下同じ）の操作レバー３Ａ（図６参照；以下同じ）の誤操作を防止するためのカバーであり、樹脂等の可撓性部材で形成されている。ここで、誤操作防止カバーＢは、本体１１とともに、この本体１１と一体的に形成された挟持部１２を有している。挟持部１２は、配線用遮断器３の操作方向（図１（ａ）の左右方向）に沿って本体１１から先端側（図１（ａ）の左側）に突出され、先端の開口部１４を介して操作レバー３Ａを挿入させることにより、操作方向への移動の方向に直交する直交方向（図１（ａ）の上下方向）の両側から当該誤操作防止カバーＢの材料である可撓性部材が若干変形して操作レバー３Ａを両側（図１（ａ）の上下方向の両側）から挟持するように構成してある。
【００２８】
さらに、挟持部１２の先端部には、操作レバー３Ａに係止される突起部１３が直交方向で相対向させて形成してある。
【００２９】
図２は図１に示す誤操作防止カバーを配線用遮断器に装着した状態を示す図で、（ａ）は側面図、（ｂ）は平面図、（ｃ）は正面図である。これらの図に示すように、本形態において所定のロック操作を行う場合には、操作レバー３Ａが倒れている側の反対側（図２（ａ）では右側）から操作時の直線移動方向（図２（ａ）の右から左に向かう方向）に沿って、操作レバーが倒れている側と反対側から誤操作防止カバーを直線移動させ、挟持部１２で操作レバー３Ａを挟持することにより配線用遮断器３に装着させる。このため、かかる装着操作において、操作レバー３Ａに作用する力は、操作レバー３Ａの状態を維持する（ＯＮ状態においてはＯＮ状態を維持する）ための方向となる。この結果、装着時に誤って操作レバー３Ａを反対方向（図２（ａ）の左から右に向かう方向）に移動させることはない。ここで、本形態においては、突起部１３を操作レバー３Ａの前面の両端部に係止させることができるので、誤操作防止カバーＢを操作レバー３Ａに確実に装着することができる。すなわち、本形態によれば挟持部１２の弾性変形による操作レバー３Ａに対する挟持力と突起部１３が操作レバー３Ａに係止されることによる係止力とにより安定して誤操作防止カバーＢが操作レバー３Ａに装着される。
【００３０】
＜第２の実施の形態＞
図３は本発明の第２の実施の形態に係る誤操作防止カバーを示す図で、（ａ）は側面図、（ｂ）は平面図、（ｃ）は正面図である。これらの図に示すように、本形態に係る誤操作防止カバーＣは、第１の実施の形態と同様の本体２１および先端が開口した開口部２４を有する挟持部２２からなる。ただ、本形態における突起部２３Ａ，２３Ｂ，２３Ｃ，２３Ｄは、操作レバー３Ａの操作方向（図３（ａ）の左右方向）に沿って先端部に向かう挟持部２２の複数箇所（図では４箇所）に形成してある。しかも、突起部２３Ａ，２３Ｂ，２３Ｃ，２３Ｄは挟持部２２の先端側の箇所ほど、突出量を大きくしてある。
【００３１】
図４は図３に示す誤操作防止カバーを配線用遮断器に装着した状態を示す図で、（ａ）は側面図、（ｂ）は平面図、（ｃ）は正面図、（ｄ）は装着時の態様で示す側面図である。これらの図に示すように、所定のロック操作を行う場合には、本形態においても第１の実施の形態と同様に、操作レバー３Ａが倒れている側の反対側（図４（ａ）では右側）から操作時の直線移動方向（図４（ａ）の右から左に向かう方向）に沿って、操作レバー３Ａが倒れている側と反対側から誤操作防止カバーＣを直線移動させ、挟持部２２で操作レバー３Ａを挟持させることにより配線用遮断器３に装着させる。このため、図４（ｄ）に示すように、誤操作防止カバーＣの装着操作において、操作レバー３Ａに作用する力IIIは、操作レバー３Ａの状態を維持する（ＯＮ状態においてはＯＮ状態を維持する）ための方向となる。
【００３２】
この結果、装着時に誤って操作レバー３Ａを反対方向（図４（ａ）の左から右に向かう方向）に移動させることはない。ここで、本形態においては、突起部２３Ａ〜２３Ｄの何れか一つを操作レバー３Ａの前面の両端部に係止させることができるので、誤操作防止カバーＣを操作レバー３Ａに確実に装着することができる。すなわち、本形態によれば、第１の実施の形態と同様に、挟持部２２の弾性変形による操作レバー３Ａに対する挟持力と突起部２３Ａ〜２３Ｄのいずれか一つが操作レバー３Ａに係止されることによる係止力とにより安定して誤操作防止カバーＣが操作レバー３Ａに装着される。
【００３３】
さらに、本形態においては、突起部２３Ａ〜２３Ｄが、操作レバー３Ａの移動方向に沿って先端部に向かって挟持部２２の複数箇所（図では４箇所）に形成されているので、操作レバー３Ａの太さが異なる複数種類の配線用遮断器３に共通に適用することができる。すなわち、前記移動方向に沿う操作レバー３Ａの寸法が異なっていても各寸法に合わせて最適な突起部２３Ａ〜２３Ｄの何れか一つを操作レバー３Ａの先端部に係止させれば良い。しかも、本形態においては、挟持部２２の先端側の箇所ほど、突起部２３Ａ〜２３Ｄの突出量を大きくしたので、先端部ほど相対向する突起部２３Ａ〜２３Ｄの先端間の間隔が小さくなっている。この結果、より先端側の突起部２３Ａ〜２３Ｃを使用するに際し、基端側の突起部２３Ｂ〜２３Ｄが緩衝して操作レバー３Ａに対する突起部２３Ａ〜２３Ｄによる係合が邪魔されることはない。
【００３４】
＜他の実施の形態＞
なお、上記実施の形態では、挟持部１２、２２に突起部１３，２３Ａ〜２３Ｄを設けたが、これらは必ずしも必要なものではない。挟持部１２，２２の挟持力で充分所定の装着状態を維持し得る場合があるからであり、本発明は、原始的には開口部を介して操作レバー３Ａを挟持し得る構造となっていればそれ以上の限定を必要とするものではないからである。ただ、突起部１３，２３Ａ〜２３Ｄを設けた場合の方が装着状態の安定化を図ることができる点については論を俟たない。また、スイッチ手段として配線用遮断器（ＭＣＣＢ）を例示したが、勿論、これに限定するものでもない。操作レバーを有するスイッチ手段であれば、他の形式のものにも同様に適用し得る。
【産業上の利用可能性】
【００３５】
本発明は電力を動力として利用する配電系統を備えた産業分野において有効に利用することができる。
【符号の説明】
【００３６】
Ｂ，Ｃ                                誤操作防止カバー
３                                    配線用遮断器
３Ａ                                  操作レバー
１１，２１                              本体
１２，２２                              挟持部
１３，２３Ａ，２３Ｂ，２３Ｃ，２３Ｄ    突起部
１４、２４                              開口部  
【図１】
2013025867.tif 000003
【図２】
2013025867.tif 000004
【図３】
2013025867.tif 000005
【図４】
2013025867.tif 000006
【図５】
2013025867.tif 000007
【図６】
2013025867.tif 000008